(57)【要約】    【課題】遊戯客の有無を問わず開店と同時に所定の輝度で発光して、店内の雰囲気を明るくし得るパチンコ等の遊戯台を提供する。    【解決手段】遊戯台の盤面１上に、柔軟性を有する絶縁シート２の表面にパウダー状の発光材料を均一に所定のパターンで散布してなるＥＬ３が、接着されている。【選択図】図１
2006087515.tif 000002
【特許請求の範囲】
【請求項１】
盤面上に、柔軟性を有する絶縁シートの表面にパウダー状の発光材料を均一に所定のパターンで散布してなるＥＬ皮膜を接着し、該ＥＬ皮膜を発光せしめるようにしたことを特徴とする遊戯台。
【請求項２】
盤面に形成された入賞口に遊戯玉が転入したときオン・オフ制御する制御回路の作用によって、前記ＥＬ皮膜の発光が点滅せしめられることを特徴とする請求項１に記載の遊戯台。
【請求項３】
前記ＥＬ皮膜の表面を被覆する透明又は半透明フィルムに彩色し、盤面を彩色光によって表示するようにしたことを特徴とする請求項１又は２に記載の遊戯台。
【請求項４】
前記盤面に植立された釘は、可塑性，粘性又は固体の絶縁性材料によって、前記ＥＬ皮膜に対し電気的に絶縁されていることを特徴とする請求項１乃至３の何れかに記載の遊戯台。
【発明の詳細な説明】
【技術分野】
【０００１】
本発明は、パチンコ遊戯機やスロットルマシン等に用いられる遊戯台の改良に関する。
【背景技術】
【０００２】
従来のパチンコ遊戯機やスロットルマシン、特にパチンコ台は、遊戯者に対して、手前からガラス板，玉を誘導する釘等を植設した遊戯盤が設けられ、この遊戯盤の裏側には、玉の供給・収納及び光や音響等を発生せしめる装置等が配設されている。そして、盤面中央部には、液晶画面によってアニメ等のキャラクターが表示されている。
このような従来のパチンコ台等においては、遊戯中玉が入賞口に入ると、その等級に応じて、赤，青，黄色等に着色されたプラスチックカバーに収納された電球が点滅すると同時に音響等を発し、更に盤面中央のキャラクターアニメが動作して、玉が入賞口に入ったことを告げ、遊戯者に満足感を与えるように構成されている。
【発明の開示】
【発明が解決しようとする課題】
【０００３】
従って、玉が入賞口に入った時には、この玉が図示していない公知の電気回路中に設けられた光スイッチの光路を遮断し、これによって音響を発するか電飾が点滅して、景気良く賑やかな雰囲気が演出されるが、それ以外の時には遊戯中といえども、アニメ以外は動きがなく、玉を弾く音以外はない。しかも、遊戯中でないパチンコ台では、光の点滅や音響の発生等は全くないから、遊戯客が少ない時のパチンコ店は、比較的暗く寂しい雰囲気となってしまう。これを解消するために、通常は部屋内の照明を極端に明るくしたり、軍艦マーチ等を大音量で流したりしているが、これは電力の浪費となるばかりか、騒音源となって好ましくない。また、かかる雰囲気を少しでも解消するために、遊技機のフロントパネルを、発光材料を含有するプラスチックで形成したものも提案されている（例えば、特許文献１参照）が、それ程の効果を発揮するには至っていない。
【特許文献１】特開２００２−２８２８０号公報
【０００４】
本発明は、如上の従来技術の欠点に鑑みてなされたものであり、その目的とするところは、遊戯客の有無を問わず開店と同時に所定の輝度で発光して、店内の雰囲気を明るくし得るパチンコ等の遊戯台を提供することにある。
【課題を解決するための手段】
【０００５】
上記目的を達成するため、本発明による遊戯台は、盤面上に、柔軟性を有する絶縁シートの表面にパウダー状の発光材料を均一に所定のパターンで散布してなるＥＬ皮膜を接着し、該ＥＬ皮膜を発光せしめるようにしたことを特徴とする。
【０００６】
本発明によれば、前記ＥＬ皮膜は、盤面に形成された入賞口に遊戯玉が転入したときオン・オフ制御する制御回路の作用によって、発光が点滅せしめられることを特徴とする。
【０００７】
また、本発明によれば、前記ＥＬ皮膜の表面を被覆する透明又は半透明フィルムに彩色し、盤面を彩色光によって表示するようにしたことを特徴とする。
【０００８】
また、本発明によれば、前記盤面に植立された釘は、可塑性，粘性又は固体の絶縁性材料によって、前記ＥＬ皮膜に対し電気的に絶縁されていることを特徴とする。
【発明の効果】
【０００９】
本発明によれば、低コストで、店内を常に明るく且つ安定して照明することが出きるのみならず、遊戯者に独特の刺激を与え得る遊戯台を提供することができる。
【発明を実施するための最良の形態】
【００１０】
以下、本発明の実施の形態を図示した実施例に基づき説明する。
図１は本発明にかかるパチンコ台の一実施例の一部を破断して示す要部正面図、図２は盤面への釘の植設構造の一例を示す断面図、図３は盤面への釘の植設構造の他の例を示す断面図である。図中、１はプラスチック板またはベニア板等からなる所定形状のパチンコ台基盤、２は基盤１上に貼着された基盤１と同一形状のマイラーシート等の絶縁性シート、３は絶縁シート２上にパウダー状の発光材料を均一に散布して形成されたＥＬ（エレクトロルミネッセンス）皮膜、４はＥＬ皮膜３を被覆するマイラーシート等よりなる透明被膜、５は透明被膜４に貼着された透明又は半透明のフィルムである。上記の絶縁性シート２，ＥＬ皮膜３及び透明被膜４は面状発光体を構成し、フィルム５のバックライトとなる。
【００１１】
更に図１において、６は遊戯玉の径路をアットランダムに制御するため基盤１上に植設された多数の釘、７は図柄表示装置、８は風車、９は始動入賞口、１０は袖入賞口、１１は大入賞口で、その他も含めてこれらは何れも基盤１に形成された周知の造作であるが、釘６を除いて上記面状発光体は、これらの造作を避けた形で形成される。従って、上記面状発光体は基盤１上に上記のようにして形成されても良いし、上記造作を避けたパターンに予め形成して、基盤１上に貼着するようにしても良い。
【００１２】
図２は、１本ずつ点在する釘６を盤面上に植設する場合を示しているが、この場合には、面状発光体に下孔を明けて電気絶縁性の筒状のカラン１２を嵌着し、そのカラン１２に釘６を通した状態で基盤１に打ち付けるか、カラン１２の代わりに電気絶縁性の可塑性材又は粘体を上記下孔に充填した状態で釘６をその中に通して打ち付けるようにすれば良い。図３は複数の釘６が列設される場合を示しているが、この場合には、列設形態に応じた形態のスロット１３を予め面状発光体に形成して（図１参照）、そのスロット１３に電気絶縁性の可塑性材又は粘体１４を嵌着又は充填し、その中に釘６を打ち込んで打ち付けるようにすれば良い。
【００１３】
上記の如く構成された面状発光体は、ＥＬ皮膜３に適切な電圧（ＡＣ１８〜３０Ｖ）を印加すれば、皮膜全体に亘り均一で斑のない発光が行なわれ、その発光光量は、パチンコ台の大きさで新聞を読むのに充分な程度であり、しかもこの発光量は時間の経過等で低下したりすることがなく、また点灯に支障をきたすようなこともない。従って、パチンコ店等で、開店と共に各パチンコ台を一斉に点灯すようにすれば、比較的低電力で店内を常に明るく保持することができる。
【００１４】
また、この種の面状発光体は、電源のオン・オフにより発光が遅延することなく瞬時に点滅し、通電に対して残像等の現象がなく歯切れの良い点滅が行われる。従って、例えば、フィルム５に印刷等により着色や模様を施したり、写真フィルムを用いたりして、遊技中、遊戯者によって弾かれた玉が入賞口に転入し落下する過程で、その玉で図示していない公知の電気回路中に設けられた光スイッチの光路が遮断されてオン・オフ制御する周知の制御回路の作用により、面状発光体への発光を点滅させるようにすれば、従来にも増して遊戯者の興奮を高めることができる。また、写真フィルムとして、パチンコ遊戯に相応しいシーンや題材のものを採用すれば、従来とは違った興味を遊戯者に抱かせることもできる。
【００１５】
以上、実施例は本発明をパチンコ台に適用した場合について説明したが、本発明はこれに限定されるものではなく、スロットルマシンの如き他の遊戯機にも適用できることはいうまでもない。
【図面の簡単な説明】
【００１６】
【図１】本発明をパチンコ台に適用した場合の一実施例の一部を破断して示す要部正面図である。
【図２】盤面への釘の植設構造の一例を示す断面図である。
【図３】盤面への釘の植設構造の他の例を示す断面図である。
【符号の説明】
【００１７】
１                  基盤
２，４              マイラーシート
３                  ＥＬ皮膜
５                  透明または半透明のフィルム
６                  釘
７                  図柄表示装置、
８                  風車
９                  始動入賞口
１０                袖入賞口
１１                大入賞口
１２                電気絶縁性のスリーブ
１３                スロット
１４                電気絶縁性の可塑性材又は粘体
【図１】
2006087515.tif 000003
【図２】
2006087515.tif 000004
【図３】
2006087515.tif 000005